【手続補正書】
【提出日】平成20年1月15日(2008.1.15)
【手続補正１】
【補正対象書類名】明細書
【補正対象項目名】特許請求の範囲
【補正方法】変更
【補正の内容】
【特許請求の範囲】
【請求項１】人体局部に向けて洗浄水を吐水孔から吐水して、局部洗浄を行う装置であって、
前記吐水孔を有し、前記被洗浄部に対して待機位置から進退可能とされたノズルと、
前記吐水孔から吐水された洗浄水が人体局部の被洗浄部に着水する際の着水角度を、前記ノズルの進退駆動を伴って変更制御する角度制御手段と、
前記吐水孔への洗浄水の通水状況を制御して前記吐水孔から洗浄水を吐水する吐水手段と、
前記着水角度と前記通水状況の一方が変化した場合、その変化状況に応じて他方が変化するよう前記角度制御手段と前記吐水手段を相互制御し、前記被洗浄部に着水した洗浄水が呈する洗浄特性を維持制御する特性維持制御手段とを備えることを特徴とする局部洗浄装置。
【請求項２】請求項１記載の局部洗浄装置であって、
人体局部の所定の前後範囲を洗浄領域とし、前記角度制御手段を制御して前記ノズルの進退駆動に伴って前記着水角度を変更しつつ前記洗浄領域を走査して洗浄する走査洗浄手段を備え、
前記特性維持制御手段は、
前記走査洗浄手段が走査洗浄する際の前記洗浄領域ごとに前記角度制御手段と前記吐水手段を相互制御して、前記洗浄領域ごとの前記洗浄特性を前記洗浄領域ごとに維持制御する、局部洗浄装置。
【請求項３】便座に着座した使用者の人体局部に向けて洗浄水を吐水孔から吐水して、局部洗浄を行う装置であって、
前記吐水孔を有し、前記被洗浄部に対して待機位置から進退可能とされたノズルと、
前記吐水孔への洗浄水の通水状況を制御して前記吐水孔から洗浄水を吐水する吐水手段と、
前記吐水孔から吐水された洗浄水が人体局部の被洗浄部に着水する際の着水角度を、前記ノズルの進退駆動を伴って変更制御する角度制御手段と、
前記着座した使用者の前記被洗浄部の位置を感知する感知手段と、
前記感知した被洗浄部位置に応じた着水角度を規定する規定手段とを備え、
前記角度制御手段は、
前記ノズルを進退させた上で、前記着水角度を前記規定着水角度に設定する設定手段を有することを特徴とする局部洗浄装置。
【請求項４】請求項３記載の局部洗浄装置であって、
前記規定手段の規定する前記規定着水角度は、前記使用者により変更可能とされている、局部洗浄装置。
【請求項５】請求項４記載の局部洗浄装置であって、
前記規定手段は、
前記規定着水角度を異なる使用者ごとに記憶する記憶手段と、
前記異なる使用者を特定する特定手段とを備え、
該特定手段により特定された使用者に対応する前記規定着水角度を前記記憶手段から読み出し、その読み出した規定着水角度を前記感知した被洗浄部位置に応じた着水角度とする、局部洗浄装置。
【請求項６】請求項１〜５のうちいずれか１項に記載の局部洗浄装置であって、
前記角度制御手段は、
前記被洗浄部に洗浄水が着水する際の着水領域のほぼ中央を前記吐水孔から指向した洗浄水吐水方向を、前記ノズルの進退駆動を伴って変更することで、前記着水角度を変更制御する、局部洗浄装置。
【手続補正２】
【補正対象書類名】明細書
【補正対象項目名】０００９
【補正方法】変更
【補正の内容】
【０００９】
【課題を解決する手段およびその作用・効果】
上記した課題の少なくとも一部を解決するため、本発明の第１の局部洗浄装置は、人体局部に向けて洗浄水を吐水孔から吐水して、局部洗浄を行う装置であって、前記吐水孔を有し、前記被洗浄部に対して待機位置から進退可能とされたノズルと、前記吐水孔から吐水された洗浄水が人体局部の被洗浄部に着水する際の着水角度を、前記ノズルの進退駆動を伴って変更制御する角度制御手段と、前記吐水孔への洗浄水の通水状況を制御して前記吐水孔から洗浄水を吐水する吐水手段と、前記着水角度と前記通水状況の一方が変化した場合、その変化状況に応じて他方が変化するよう前記角度制御手段と前記吐水手段を相互制御し、前記被洗浄部に着水した洗浄水が呈する洗浄特性を維持制御する特性維持制御手段とを備えることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
上記構成を有する本発明の第１の局部洗浄装置にあっては、人体局部のある被洗浄部（例えば、お尻）に洗浄水を着水してこれを洗浄するに際し、この被洗浄部（例えば、お尻）に洗浄水が着水する際の着水角度を、ノズルの進退駆動を伴って変更制御する。例えば、ある被洗浄部（例えば、お尻）に対してほぼ真っ直ぐに洗浄水が着水するよう、ノズルを駆動して着水角度を変更したり、このある洗浄部（例えば、お尻）に対して傾斜して洗浄水が着水するよう、ノズルを駆動して着水角度を変更したりできる。つまり、着水角度を被洗浄部で洗浄水の滑りがより多くなるように変更したり、着水角度を被洗浄部での洗浄水滑りが少なくなり洗浄水が被洗浄部にほぼ真っ直ぐ着水する側に変更したりすることができる。よって、ある洗浄部（例えば、お尻）に洗浄水が着水する際の滑りの程度を可変させて着水状況を変更でき、これにより、濡れ面積を狭くして刺激感を高めたり、濡れ面積を広くして刺激感も抑えたりすることができる。また、洗浄水の跳ね返り程度を抑制することもできる。
【手続補正８】
【補正対象書類名】明細書
【補正対象項目名】００１５
【補正方法】変更
【補正の内容】
【００１５】
しかも、本発明の第１の局部洗浄装置では、着水角度の変更制御を通して着水状況を変更するに当たり、吐水孔への洗浄水の通水状況を制御して吐水孔から洗浄水を吐水するものの、着水角度と通水状況を相互制御する。例えば、着水角度が、ある被洗浄部（例えば、お尻）に対してほぼ真っ直ぐに洗浄水が着水する角度から、このある洗浄部（例えば、お尻）に対して傾斜して洗浄水が着水する角度に変化するような場合には、その着水角度変化に応じて通水状況を吐水量低減側に低減変化させる。こうすれば、着水角度変化に起因する濡れ面積の広狭化を、通水状況の低減変化により抑制でき、濡れ面積や跳ね返り程度を維持できる。なお、この着水角度変化により刺激感は弱まり、通水状況の低減によって、更に刺激感を弱めることができる。このため、濡れ面積をほぼ維持したまま、刺激感をより抑制できる。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
上記の構成を有する本発明の第１の局部洗浄装置にあっては、次の種々の態様を採ることもできる。即ち、人体局部の所定の前後範囲を洗浄領域とし、前記角度制御手段を制御して前記ノズルの進退駆動に伴って前記着水角度を変更しつつ前記洗浄領域を走査して洗浄する走査洗浄手段を備え、前記特性維持制御手段を、前記走査洗浄手段が走査洗浄する際の前記洗浄領域ごとに前記角度制御手段と前記吐水手段を相互制御して、前記洗浄領域ごとの前記洗浄特性を前記洗浄領域ごとに維持制御するものとすることができる。
【手続補正１２】
【補正対象書類名】明細書
【補正対象項目名】００２２
【補正方法】変更
【補正の内容】
【００２２】
また、上記した課題の少なくとも一部を解決するため、本発明の第２の局部洗浄装置は、便座に着座した使用者の人体局部に向けて洗浄水を吐水孔から吐水して、局部洗浄を行う装置であって、前記吐水孔を有し、前記被洗浄部に対して待機位置から進退可能とされたノズルと、前記吐水孔への洗浄水の通水状況を制御して前記吐水孔から洗浄水を吐水する吐水手段と、前記吐水孔から吐水された洗浄水が人体局部の被洗浄部に着水する際の着水角度を、前記ノズルの進退駆動を伴って変更制御する角度制御手段と、前記着座した使用者の前記被洗浄部の位置を感知する感知手段と、前記感知した被洗浄部位置に応じた着水角度を規定する規定手段とを備え、前記角度制御手段は、前記ノズルを進退させた上で、前記着水角度を前記規定着水角度に設定する設定手段を有することを特徴とする。
【手続補正１３】
【補正対象書類名】明細書
【補正対象項目名】００２３
【補正方法】変更
【補正の内容】
【００２３】
上記構成を有する本発明の第２の局部洗浄装置では、人体局部のある被洗浄部（例えば、お尻）に洗浄水を着水してこれを洗浄するに際し、着座した使用者の被洗浄部の位置を感知する。そして、この感知した被洗浄部位置に応じた着水角度を規定する。つまり、着座の際に使用者の着座位置は便器前後方向にずれることが起きるが、このずれを起こした実際の被洗浄部位置を感知して、それに応じた着水角度を規定する。こうして着水角度が規定されると、ノズルを進退させた上で、吐水孔から吐水された洗浄水が人体局部の被洗浄部に着水する際の着水角度を規定済みの規定着水角度に設定し、通水状況の制御をすることで吐水孔から被洗浄部に洗浄水を吐水する。このため、被洗浄位置が着座時にずれたような場合であっても、そのずれた位置にある被洗浄部に対して規定済みの着水角度で洗浄水を吐水できる。従って、この着水角度の規定の仕方を濡れ面積や飛び跳ね程度がほぼ同じとなるようなものとしたり、刺激感がほぼ同じとなるようなものとしておけば、着座位置がずれても濡れ面積や飛び跳ね程度或いは刺激感をほぼ同じとでき好ましい。
【手続補正１４】
【補正対象書類名】明細書
【補正対象項目名】００２５
【補正方法】変更
【補正の内容】
【００２５】
上記の構成を有する本発明の第２の局部洗浄装置は、次の態様を採ることもできる。即ち、前記規定手段の規定する前記規定着水角度を、前記使用者により変更可能とすることもでき、こうすれば、それぞれの使用者の所望する濡れ面積や飛び跳ね程度或いは刺激感を持った局部洗浄を実行できる。